(57)【要約】【課題】洋式便器において、便座と便器との間の間隙からの尿の飛散を防止する、着脱容易かつ廃棄に至便な用具を提供する。【解決手段】洋式便器の便座と便器の間の間隙を埋める介在物を、尿飛散防止の機能を有する尿飛散防止用具として、便座下面に両面テープ等の接着部材を用いて着脱容易に取り付ける。該用具の断面形状は、便座下面の形状に適合し、かつ便器の上面に適合するような形状とし、その大きさは、便座下面にある複数の凸起物のうち前方の二つの凸起物の間に、納まる大きさとする。該用具の素材として廃棄が容易かつ廉価な素材を用い、該用具のサイズは大きくないことから、通常の大きさの廃棄袋に入れて廃棄処分できるようにした。【選択図】    図１
2005342292.tif 000002
【特許請求の範囲】
【請求項１】
洋式便器に使用する尿飛散防止用具であって、便座と便器の間の間隙を埋める部材からなり、該部材は便座下面に着脱可能なこと、を特徴とする尿飛散防止用具
【発明の詳細な説明】
【技術分野】
【０００１】
本願発明は、洋式便器において、尿が便器外に飛散することを防止する用具に関する。
【背景技術】
【０００２】
便蓋・便座・便器を主構成要素とする洋式便器において、用を足す際には便座が便器に置かれて使用されるが、便座には数ヵ所の凸起部がある為、便座と便器との間には間隙が生じている。
【０００３】
正常の使用の際には、該間隙から尿が便器外部に飛散することはないが、高年者や幼い児童等においては、ややもすると該間隙から尿を便器外部に飛散させる事態を生じ、床を汚したり、着衣を濡らしたりしかねない。
【０００４】
しかし、このような事態に対処する方法は考案されてきてはいる（特開平１１−６１９３８）が、便座と便器の間隙を積極的に利用した尿飛散防止用具はなく、また、容易に着脱可能かつ簡易に廃棄でき、さらに、工業的生産に向いた市販性のある用具は見当たらない。
【０００５】
【特許文献１】特許電子図書館の公報テキスト検索（公開特許公報）で、以下の条件で検索したが、該当すると思料できるものはありません。                                        「要約と請求の範囲」  「便器  便座」                                ＡＮＤ  「要約と請求の範囲」  「尿  飛沫  飛まつ  飛散  防止」              ＡＮＤ  「ＩＰＣ」            「Ｅ０３Ｄ１１／００」                                  発見された件数は、７５件
【特許文献２】特許電子図書館の公報テキスト検索（公開特許公報）で、以下の条件で検索したが、該当すると思料できるものはありません。                                        「要約と請求の範囲」  「便座」                                      ＡＮＤ  「要約と請求の範囲」  「尿  飛沫  飛まつ  飛散  防止」              ＡＮＤ  「ＩＰＣ」            「Ｅ０３Ｄ１１／？」                                    発見された件数は、６８件
【発明の開示】
【発明が解決しようとする課題】
【０００６】
本願発明の主たる目的は、便座と便器との間の間隙から、尿を飛散させない機能を有する用具を提供することにある。
【０００７】
本願発明の他の目的は、該用具は、容易に着脱可能な用具とし、簡易に廃棄できる用具とし、さらに安価な用具として、提供することにある。
【課題を解決するための手段】
【０００８】
上記課題を解決するため、本願発明は、便座と便器の間隙を積極的に利用することとし、便座と便器との間の間隙を埋める用具を便座下面に取付けることとし、これにより尿が便座と便器との間の間隙から便器の外へ飛散しないようにした。
【０００９】
さらに、本願発明にかかる用具は、便座に容易に取付け取り外しができるようにし、かつ簡易に廃棄できる素材を使用することにした。
【発明の効果】
【００１０】
本願発明は、便座と便器の間隙を積極的に利用して、便座と便器との間の間隙を埋める用具を便座下面に取付けたことから、尿が便座と便器との間の間隙から便器の外へ飛散することを防止できる。
したがって、排尿行為に不安を覚える高齢者等は、便器外への飛散や着衣の濡れを心配することなく安心して用を足すことができる。
【００１１】
また、本願発明の尿飛散防止用具は、便座に容易に取付け取り外しができるようにし、かつ簡易に廃棄できる素材を使用することにしたことから、手軽に・安価に使用できる。
【００１２】
さらに、該用具素材に撥水性の少ない素材、また吸水性の良い素材を使用すれば、一層良い効果が得られる。
【００１３】
また、便座下面に取り付けたことから、使用しないときは外観を全く損なわず、使用時にも目に触れることも少なく、さらに便座を上げている状態においても、違和感は少ない。
特に、便座素材の色と同一色のものとすれば、便座を上げている状態においても洋式便器の外観を殆ど損なうことがない状態とすることができる。
【００１４】
本願発明の尿飛散防止用具のサイズは大きくないことから、通常の大きさの廃棄袋に入れて、廃棄処分にだせばよく、廃棄処置は極めて簡単である。
なお、素材にスポンジ等の洗浄が可能な素材を用いた場合には、洗浄することにより繰り返し使用が可能である。
【発明を実施するための最良の形態】
【００１５】
図１は、洋式便器１０の未使用時の便蓋１１および便座１２を上げた状態を示す図であって、便座の下面に、本願発明にかかる尿飛散防止用具２０を取り付けた状況を示す。
【００１６】
現今の便座には、ヒータが組み込まれたものと、ヒータが組み込まれていない従来型のものとがあるが、便座下面の形状から観ると、前者は便座下面が平面であるのに対し、後者の場合は便座の断面が弓なりに上側に彎曲している。
しかし、いずれの場合も、便座下面には、便器１３との接触を考慮して、複数の、一般には４個の、凸起物１５が設けられている。
【００１７】
本願発明は、複数個の凸起物１５の内、前方の凸起物２個の間の間隙を利用して、介在物としての尿飛散防止用具２０を取り付けようとするものである。
もっとも、必要に応じ、他の凸起物の間に設けてもよい。
【００１８】
尿飛散防止用具２０の具体的構成例を、図２〜図４に示す。
図２に示す尿飛散防止用具３０は、便座と便器の間隙に相当する程度の厚さの単板部材３１を、円弧状に切断したものである。単板部材としては、発泡スチロール・段ボール紙等が用いられる。
便座にヒータが組み込まれた場合は、便座下面が平面であるから、本図に示すような単一厚さの単板を加工したもので足りる。
なお、単板の素材として、不織布・古布の成形品やゴムまたは合成樹脂製のスポンジ等が使用でき、撥水性の少ない素材や吸水性の良い素材が好適である。
【００１９】
また、ヒータが組み込まれていない従来型の便座の断面が弓なりに彎曲している便座には、図３に示すようなす尿飛散防止用具４０が使用される。
この場合、尿飛散防止用具の構成部材の断面形状を、便座の断面の彎曲に適合するように彎曲状にするのが望ましいが、廉価な製品とするために、幅の異なる単板を重ねて簡略化を図ったものである。
図例では、２枚の単板を積層部材４１・４２として重ねて相互を接着材で接着している。
なお、単板の積層枚数は、２枚以上の任意の枚数とすることができる。
【００２０】
さらに、不織布、布等の簡易に成型できる素材にあっては、図４に示すように、便座の断面の形状に適合するように、袋状部材５１として袋状に断面を加工することもできる。
なお、不織布・布・スポンジ等の曲げに対して弾力性のある素材を使用した場合には、便座の卵型形状に合わせて曲げて便座下面に取付けできる利点がある。
【００２１】
また、図２および図３で示す尿飛散防止用具を外側から、撥水性の少ない素材・吸水性の良い素材、例えば不織布・布、で、図４に示すような状態に、包みこんで、相互を接着してもよい（図示省略）。
なお、尿飛散防止用具の便器側の形状は、平面形状でも足りるが、少し垂れ下がる形状の方が望ましく、袋状にした場合や素材を包みこんだ状態にした場合は、その効果も期待できる。
【００２２】
尿飛散防止用具２０を便座に取り付ける方法としては、尿飛散防止用具の便座取付け側面に両面接着テープ２８（図２ないし図４）を取り付け、便座に取り付ける際に、接着テープの被覆材を剥がして、便座下面に接着する。
図例では、接着テープを３枚使用しているが、使用枚数は、接着テープの大きさ等を考慮して、任意でよい。
他の方法としては、通称マジックテープ（登録商標）と言われる鉤止部材付ファスナーを用い、予め便座下面に取り付けておき、それに尿飛散防止用具を取り付ける方法もある。
特に、この鉤止部材付ファスナーを用いる場合には、尿飛散防止用具が鉤止され易い部材、例えば不織布、で製作されている場合には、尿飛散防止用具に別途の接着部材を必要としないという利点がある。
【００２３】
尿飛散防止用具２０が汚れたり汚臭を放つようになった場合は、尿飛散防止用具を便座１２の下面から取り外し、尿飛散防止用具のサイズは大きくないことから、通常の大きさの廃棄袋に入れて、廃棄処分にだせばよく、処置は極めて簡単である。
【産業上の利用可能性】
【００２４】
本願発明は、排便排尿行為は人間が生きていく上で必須の行為であり、誰もがトイレを綺麗に保って生活を営みたいと望んでいることから、産業上の利用可能性は極めて高いものである。
【００２５】
また、本願発明は、日常の生活に必要なものであって、安価かつ多量に提供されるものであるから、工業生産分野においても役立つものである。
【００２６】
さらに、廃棄時の有害物を発しない素材とすることもできることから、環境保全に資するものでもある。
【図面の簡単な説明】
【００２７】
【図１】尿飛散防止容具を、洋式便器に取り付けた状態を示す斜視図である。
【図２】尿飛散防止容具の実施例１を示す斜視図である。
【図３】尿飛散防止容具の実施例２を示す斜視図である。
【図４】尿飛散防止容具の実施例３を示す斜視図である。
【符号の説明】
【００２８】
１０    洋式便器
１１    便蓋
１２    便座
１３    便器
１５    凸起物
２０    尿飛散防止容具（総称）
２８    接着部材
３０    尿飛散防止容具（実施例１）
３１    単板部材
４０    尿飛散防止容具（実施例２）
４１    積層部材（その１）
４２    積層部材（その２）
５０    尿飛散防止容具（実施例３）
５１    袋状部材
【図１】
2005342292.tif 000003
【図２】
2005342292.tif 000004
【図３】
2005342292.tif 000005
【図４】
2005342292.tif 000006